(57)【要約】【課題】シートの列が複数列、並ぶように配置されたシートシステムの全シート列を、所定状態に簡便に移行させることができるシートシステムを提供する。【解決手段】本シートシステムは、可動部を電動で動作させることが可能なシートの列が複数列、縦又は横に並ぶように配置されている。そして、スイッチを入れると、第１列のシートの可動部が所定の状態になるように動作する。この動作が完了後、第１列のシートから、次の列のシートに対して、動作開始信号を発信する。次の列のシートは、動作開始信号の受信により、可動部が所定の状態になるように動作し、この動作が完了後、次の列のシートから、またその次の列のシートに対して、動作開始信号を発信する。そして、各シート列は、上述の動作開始信号の受信、可動部が所定の状態になるような動作、上述の動作開始信号の発信を、最終列のシートの可動部が所定の状態になるような動作が完了するまで繰り返す。【選択図】図６
2015020556.tif 000002
【特許請求の範囲】
【請求項１】
可動部を電動で動作させることが可能なシートの列が複数列、縦又は横に並ぶように配置されており、
スイッチを入れると、第１列のシートの可動部が所定の状態になるように動作し、
この動作が完了後、前記第１列のシートから、次の列のシートに対して、動作開始信号を発信し、
前記次の列のシートは、動作開始信号の受信により、可動部が所定の状態になるように動作し、この動作が完了後、前記次の列のシートから、またその次の列のシートに対して、動作開始信号を発信し、
各シート列は、上述の動作開始信号の受信、可動部が所定の状態になるような動作、上述の動作開始信号の発信を、最終列のシートの可動部が所定の状態になるような動作が完了するまで繰り返すことを特徴とするシートシステム。
【請求項２】
可動部を電動で動作させることが可能なシートの列が複数列、縦又は横に並ぶように配置されており、
スイッチを入れると、第１列及び最終列のシートの可動部が所定の状態になるように動作し、
前記第１列の可動部の動作の完了後には、前記第１列のシートから、次の列のシートに対して、動作開始信号を発信し、
前記最終列の可動部の動作の完了後には、前記最終列のシートから、手前の列のシートに対して、動作開始信号を発信し、
前記次の列のシートは、動作開始信号の受信により、可動部が所定の状態になるように動作し、この動作が完了後、前記次の列のシートから、またその次の列のシートに対して、動作開始信号を発信し、
前記手前の列のシートは、動作開始信号の受信により、可動部が所定の状態になるように動作し、この動作が完了後、前記手前の列のシートから、またその手前の列のシートに対して、動作開始信号を発信し、
各シート列は、上述の動作開始信号の受信、可動部が所定の状態になるような動作、上述の動作開始信号の発信を、全列のシートの可動部が所定の状態になるような動作が完了するまで繰り返すことを特徴とするシートシステム。
【発明の詳細な説明】
【技術分野】
【０００１】
本発明は、シートシステムに関し、さらに詳しくは、シートの列が複数列、縦又は横に並ぶように配置されたシートシステムの全シート列を、所定状態に簡便に移行させることができるシートシステムに関する。
【背景技術】
【０００２】
従来のシートシステムとして、電車等の乗り物に用いられるものが一般に知られている（例えば、特許文献１参照）。このものでは、シートの列が複数列、縦に並ぶように配置されている。
ところで、電車では、終点に着いた後、方向転換する際に、シートの列の向きを前後反転させる場合がある。この場合に、各シート列を反転可能な状態とするために、清掃担当者が各シート列に設置されたスイッチを個々に押している。
よって、清掃担当者は、シート列の数だけスイッチを複数回、押す必要があった。このように、清掃担当者の清掃作業が煩雑であった。
【先行技術文献】
【特許文献】
【０００３】
【特許文献１】特開平９−５２５４５号公報
【発明の概要】
【発明が解決しようとする課題】
【０００４】
本発明は、上記現状に鑑みてなされたものであり、シートシステムの全シート列を、所定状態に簡便に移行させることができるシートシステムを提供することを目的とする。
【課題を解決するための手段】
【０００５】
上記問題を解決するために、請求項１に記載の発明は、
可動部を電動で動作させることが可能なシートの列が複数列、縦又は横に並ぶように配置されており、
スイッチを入れると、第１列のシートの可動部が所定の状態になるように動作し、
この動作が完了後、前記第１列のシートから、次の列のシートに対して、動作開始信号を発信し、
前記次の列のシートは、動作開始信号の受信により、可動部が所定の状態になるように動作し、この動作が完了後、前記次の列のシートから、またその次の列のシートに対して、動作開始信号を発信し、
各シート列は、上述の動作開始信号の受信、可動部が所定の状態になるような動作、上述の動作開始信号の発信を、最終列のシートの可動部が所定の状態になるような動作が完了するまで繰り返すことを特徴とするシートシステムである。
請求項２に記載の発明は、
可動部を電動で動作させることが可能なシートの列が複数列、縦又は横に並ぶように配置されており、
スイッチを入れると、第１列及び最終列のシートの可動部が所定の状態になるように動作し、
前記第１列の可動部の動作の完了後には、前記第１列のシートから、次の列のシートに対して、動作開始信号を発信し、
前記最終列の可動部の動作の完了後には、前記最終列のシートから、手前の列のシートに対して、動作開始信号を発信し、
前記次の列のシートは、動作開始信号の受信により、可動部が所定の状態になるように動作し、この動作が完了後、前記次の列のシートから、またその次の列のシートに対して、動作開始信号を発信し、
前記手前の列のシートは、動作開始信号の受信により、可動部が所定の状態になるように動作し、この動作が完了後、前記手前の列のシートから、またその手前の列のシートに対して、動作開始信号を発信し、
各シート列は、上述の動作開始信号の受信、可動部が所定の状態になるような動作、上述の動作開始信号の発信を、全列のシートの可動部が所定の状態になるような動作が完了するまで繰り返すことを特徴とするシートシステムである。
【発明の効果】
【０００６】
請求項１に記載のシートシステムは、可動部を電動で動作させることが可能なシートの列が複数列、縦又は横に並ぶように配置されている。そして、スイッチを入れると、第１列のシートの可動部が所定の状態になるように動作する。この動作が完了後、第１列のシートから、次の列のシートに対して、動作開始信号を発信する。次の列のシートは、動作開始信号の受信により、可動部が所定の状態になるように動作し、この動作が完了後、次の列のシートから、またその次の列のシートに対して、動作開始信号を発信する。そして、各シート列は、上述の動作開始信号の受信、可動部が所定の状態になるような動作、上述の動作開始信号の発信を、最終列のシートの可動部が所定の状態になるような動作が完了するまで繰り返す。このシートシステムでは、一度、スイッチを入れれば、シートシステムの全シート列を、所定状態により簡便に移行できる。よって、清掃担当者の作業が省力化される。
請求項２に記載のシートシステムは、可動部を電動で動作させることが可能なシートの列が複数列、縦又は横に並ぶように配置されている。そして、スイッチを入れると、第１列及び最終列のシートの可動部が所定の状態になるように動作する。第１列の可動部の動作の完了後には、第１列のシートから、次の列のシートに対して、動作開始信号を発信する。最終列の可動部の動作の完了後には、最終列のシートから、手前の列のシートに対して、動作開始信号を発信する。そして、次の列のシートは、動作開始信号の受信により、可動部が所定の状態になるように動作し、この動作が完了後、次の列のシートから、またその次の列のシートに対して、動作開始信号を発信する。手前の列のシートは、動作開始信号の受信により、可動部が所定の状態になるように動作し、この動作が完了後、手前の列のシートから、またその手前の列のシートに対して、動作開始信号を発信する。そして、各シート列は、上述の動作開始信号の受信、可動部が所定の状態になるような動作、上述の動作開始信号の発信を、全列のシートの可動部が所定の状態になるような動作が完了するまで繰り返す。このシートシステムでは、一度、スイッチを入れれば、シートシステムの全シート列を、所定状態により簡便に移行できる。よって、清掃担当者の作業が省力化される。また、第１列側からの連係動作と、最終列側からの連係動作とが共に行われるから、シートシステムの全シート列を、所定状態により迅速に移行できる。
【図面の簡単な説明】
【０００７】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るシートシステムの斜視図である。
【図２】上記シートシステムを模式的に示す平面図である。
【図３】実施例に係るシートの斜視図である。
【図４】上記シートの側面図である。
【図５】第１実施形態を説明するフローチャートである。
【図６】第１実施形態を説明するフローチャートである。
【図７】上記シートシステムを模式的に示す平面図である。
【図８】第２実施形態を説明するフローチャートである。
【図９】第２実施形態を説明するフローチャートである。
【図１０】第２実施形態を説明するフローチャートである。
【発明を実施するための形態】
【０００８】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
＜第１実施形態のシートシステム＞
本実施形態に係るシートシステム（１）は、可動部を電動で動作させることが可能なシート（２）の列が複数列、縦又は横に並ぶように配置されている。各シート（２）の可動部としては、例えば、座部となるクッション部（４）、クッション部（４）の前端側に連なり足のせとなるオットマン部（５）、クッション部（４）の後端側に連なり背もたれとなるバック部（６）が挙げられる。
そして、スイッチ（一括操作スイッチ１５）を入れると、第１列のシート（２）の可動部が所定の状態になるように動作する。所定の状態とは、特に限定されないが、例えば、清掃担当者の清掃作業が反転作業をし易いような状態や、シート（２）の各可動部が初期位置にある状態等であることができる。
第１列の動作が完了後、第１列のシート（２）から、次の列（第２列）のシート（２）に対して、動作開始信号を発信する。次の列のシート（２）は、動作開始信号の受信により、可動部が所定の状態になるように動作し、この動作が完了後、次の列のシート（２）から、またその次の列のシート（２）に対して、動作開始信号を発信する。
各シート列は、上述の動作開始信号の受信、可動部が所定の状態になるような動作、上述の動作開始信号の発信を、最終列のシート（２）の可動部が所定の状態になるような動作が完了するまで繰り返す。
【００１０】
＜第２実施形態のシートシステム＞
本実施形態に係るシートシステム（１）は、可動部を電動で動作させることが可能なシート（２）の列が複数列、縦又は横に並ぶように配置されている。各シート（２）の可動部としては、例えば、上記第１実施形態と同様に、座部となるクッション部（４）、クッション部（４）の前端側に連なり足のせとなるオットマン部（５）、クッション部（４）の後端側に連なり背もたれとなるバック部（６）が挙げられる。
そして、スイッチ（一括操作スイッチ１５）を入れると、第１列のシート（２）の可動部が所定の状態になるように動作する。所定の状態とは、特に限定されないが、例えば、清掃担当者の清掃作業が反転作業をし易いような状態や、シート（２）の各可動部が初期位置にある状態等であることができる。
そして、スイッチ（一括操作スイッチ１５）を入れると、第１列及び最終列（第Ｎ列  但しＮは３以上の自然数）のシート（２）の可動部が所定の状態になるように動作する。所定の状態とは、特に限定されないが、例えば、上記第１実施形態で述べた状態と同様の状態であることができる。
第１列の可動部の動作の完了後には、第１列のシート（２）から、次の列（第２列）のシート（２）に対して、動作開始信号を発信する。
最終列（第Ｎ列）の可動部の動作の完了後には、最終列（第Ｎ列）のシート（２）から、手前の列（第Ｎ−１列）のシート（２）に対して、動作開始信号を発信する。
次の列（第２列）のシート（２）は、動作開始信号の受信により、可動部が所定の状態になるように動作し、この動作が完了後、次の列（第２列）のシート（２）から、またその次の列（第３列）のシート（２）に対して、動作開始信号を発信する。
手前の列（第（Ｎ−１）列）のシート（２）は、動作開始信号の受信により、可動部が所定の状態になるように動作し、この動作が完了後、前記手前の列（第Ｎ−１列）のシート（２）から、またその手前の列（第（Ｎ−２）列）のシート（２）に対して、動作開始信号を発信する。
各シート列は、上述の動作開始信号の受信、可動部が所定の状態になるような動作、上述の動作開始信号の発信を、全列のシート（２）の可動部が所定の状態になるような動作が完了するまで繰り返す。
【００１１】
なお、上記実施形態で記載した各構成の括弧内の符号は、後述する実施例に記載の具体的構成との対応関係を示すものである。
【実施例】
【００１２】
以下、図面を用いて実施例により本発明を具体的に説明する。なお、本実施例では、乗り物として電車に搭載されるシート装置を例示する。
【００１３】
＜実施例１＞
（１）シートシステムの構成
本実施例に係るシートシステム１は、図１及び図２に示すように、単一のシート２からなる単独シートＳ１と、複数（図中２つ）のシート２を連結した連結シートＳ２と、を横方向Ｄ１に並べてなるシート列を備えている。このシート列は、縦方向Ｄ２に複数設けられている。これら単独シートＳ１及び連結シートＳ２のそれぞれは、電車の進行方向に応じて向きを変更可能とされている。なお、本実施例では、上記シート列は、縦方向Ｄ２にＮ列（但しＮは３以上の自然数）設けられているものとする。
【００１４】
上記シート２は、図３及び図４に示すように、シート本体２Ａと、このシート本体２Ａをその後方及び側方を覆うように収容するシェル３と、を備えている。また、シート本体２Ａは、座部となるクッション部４と、クッション部４の前端側に連なり足のせとなるオットマン部５と、クッション部４の後端側に連なり背もたれとなるバック部６と、を備えている。このクッション部４は、モータＭ１の駆動により傾動可能（すなわち、チルト可能）に設けられている。また、オットマン部５は、モータＭ２の駆動により傾動可能に設けられている。さらに、バック部６は、モータＭ３の駆動により傾動可能（すなわち、リクライニング可能）に設けられている。これら各モータＭ１〜Ｍ３の駆動は、シート２のアームレストの先端側に設けられるスイッチ操作部７（図３参照）を操作することで、後述する制御装置の制御により実行される。
【００１５】
上記各シート２には、シート２の動作を制御する制御装置１２（ＥＣＵ（Electronic Control Unit）とも称される。）がそれぞれ備えられている（図３参照）。この制御装置１２は、ＣＰＵ（Central Processing Unit）と、図示しないメモリ（例えば、ＲＯＭ（Read Only Memory）、ＲＡＭ（Random Access Memory）等）と、を備えている。また、制御装置１２は、スイッチ操作部７のスイッチからの操作信号が入力される入力回路と、モータＭ１〜Ｍ３を駆動するためのモータ駆動回路と、を備えている。制御装置１２は、連結シートＳ２の各シート２にそれぞれ備えられている。
【００１６】
図２に示されるように、一括操作スイッチ１５は、第１列目の連結シートＳ２１に電線１７を介して接続されている。この一括操作スイッチ１５がオンされると、第１列目の各シート２の制御装置１２により各モータＭ１〜Ｍ３が作動して、オットマン部５及びバック部６がそれぞれ初期位置に戻るとともにクッション部４の前部が上方に持ち上がる。これにより、クッション部４下方のオットマン部５の裏側に通常隠されている反転用のペダル（図示せず）が露出して操作可能な状態となる。
【００１７】
第１列目の連結シートＳ２１は、第２列目の連結シートＳ２２に電線１７を介して接続されている。第１列目の連結シートＳ２１から、第２列目の連結シートＳ２２へはこの電線１７を介して動作開始信号が伝達されるようになっている。
電線１７を介して第１列目の連結シートＳ２１から、第２列目の連結シートＳ２２に動作開始信号が入力されると、第２列目の各シート２の制御装置１２に信号が入力される。そして、各モータＭ１〜Ｍ３が作動して、オットマン部５及びバック部６がそれぞれ初期位置に戻るとともにクッション部４の前部が上方に持ち上がる。これにより、クッション部４下方のオットマン部５の裏側に通常隠されている反転用のペダルが露出した状態にする。
【００１８】
第３列目の連結シートＳ２以降も同様にされている。すなわち、電線１７を介して前列（一つ前の列）の連結シートＳ２から、その連結シートＳ２に動作開始信号が入力されると、その連結シートＳ２の各シート２の制御装置１２に信号が入力される。そして、各モータＭ１〜Ｍ３が作動し、反転用ペダルを露出させる。
【００１９】
また、一括操作スイッチ１５は、第１列目の単独シートＳ１１に電線１７を介して接続されている。この一括操作スイッチ１５がオンされると第１列目の各シート２の制御装置１２により各モータＭ１〜Ｍ３が作動して、オットマン部５及びバック部６がそれぞれ初期位置に戻るとともにクッション部４の前部が上方に持ち上がる。これにより、クッション部４下部のオットマン部５の裏側に通常隠されている反転用のペダルが露出して操作可能な状態となる。
【００２０】
第１列目の単独シートＳ１１は、第２列目の単独シートＳ１２に電線１７を介して接続されている。第１列目の単独シートＳ１１から、第２列目の単独シートＳ１２へはこの電線を介して動作開始信号が伝達されるようになっている。
電線１７を介して第１列目の単独シートＳ１１から、第２列目の単独シートＳ１２に動作開始信号が入力されると、第２列目の各シート２の制御装置１２に信号が入力される。そして、各モータＭ１〜Ｍ３が作動して、オットマン部５及びバック部６がそれぞれ初期位置に戻るとともにクッション部４の前部が上方に持ち上がる。これにより、クッション部４下部のオットマン部５の裏側に通常隠されている反転用のペダルが露出した状態になるようにされている。
第３列目の単独シートＳ１以降も同様にされている。すなわち、電線１７を介して前列（一つ前の列）の単独シートＳ１から、その単独シートＳ１に動作開始信号が入力されると、その単独シートＳ１のシート２の制御装置１２に信号が入力される。そして、各モータＭ１〜Ｍ３を作動させ、反転用ペダルを露出させる。
【００２１】
なお、上記制御装置１２による制御処理は、ハードウェア、ソフトウェアのいずれによって実現されてもよく、好適にはＣＰＵ、メモリ（ＲＯＭ、ＲＡＭ等）、入出力回路等を備えるマイクロコントローラ（マイクロコンピュータ）を中心に、入出力インターフェース等周辺回路を備えることにより構成することができる。
【００２２】
（２）シートシステムの作用
次に、上記構成のシートシステム１の作用について説明する。図５に示すように、第１列目の連結シートＳ２１では、まず、ステップＳ１００において、動作開始スイッチ（一括操作スイッチ１５）がオンされたか否かを判定する。この判定条件が満たされると、ステップＳ１１０において、各可動部を所定位置まで動作させる。本実施例の場合には、第１列目の連結シートＳ２１の各シート２の各モータＭ１〜Ｍ３を駆動してクッション部４、オットマン部５及びバック部６を動作させ、反転用のペダルが露出した状態にする。そして、この動作が完了した場合（Ｓ１２０：ＹＥＳ）には、ステップＳ１３０において、第１列目の連結シートＳ２１から、その後列である第２列目の連結シートＳ２２へ電線１７を介して動作開始信号が送信される。
【００２３】
第２列目の連結シートＳ２２では、図６に示すように、ステップＳ２００において、前の列（第１列）の連結シートＳ２１から動作開始信号を受信したか否かを判定する。この判定条件が満たされると、ステップＳ２１０において、各可動部を所定位置まで動作させる。本実施例の場合には、第１列目と同様に、第２列目の連結シートＳ２２の各シート２の各モータＭ１〜Ｍ３を駆動してクッション部４、オットマン部５及びバック部６を動作させ、反転用のペダルが露出した状態にする。そして、この動作が完了した場合（Ｓ２２０：ＹＥＳ）には、ステップＳ２３０において、第２列目の連結シートＳ２２から、第３列目の連結シートＳ２３へは電線１７を介して動作開始信号が送信される。
このように、本実施例１のシートシステム１では、各シート列が、上述の動作開始信号の受信、可動部が所定の状態になるような動作、上述の動作開始信号の発信を、最終列（第Ｎ列）の連結シートＳ２の可動部が所定の状態になるような動作が完了するまで繰り返す。
【００２４】
次に、単独シートＳ１におけるシートシステム１の作用について説明する。この作用は基本的には連結シートＳ２の場合と同様である。
すなわち、図５に示すように、第１列目の単独シートＳ１１では、まず、ステップＳ１００において、動作開始スイッチ（一括操作スイッチ１５）がオンされたか否かを判定する。この判定条件が満たされると、ステップＳ１１０において、各可動部を所定位置まで動作させる。本実施例の場合には、第１列目の単独シートＳ１１のシート２の各モータＭ１〜Ｍ３を駆動してクッション部４、オットマン部５及びバック部６を動作させ、反転用のペダルが露出した状態にする。そして、この動作が完了した場合（Ｓ１２０：ＹＥＳ）には、ステップＳ１３０において、第１列目の単独シートＳ１１から、第２列目の単独シートＳ１２へ電線１７を介して動作開始信号が送信される。
【００２５】
第２列目の単独シートＳ１２では、図６に示すように、ステップＳ２００において、前の列（第１列）の単独シートＳ１１から動作開始信号を受信したか否かを判定する。この判定条件が満たされると、ステップＳ２１０において、各可動部を所定位置まで動作させる。本実施例の場合には、第２列目の単独シートＳ１２の各シート２の各モータＭ１〜Ｍ３を駆動してクッション部４、オットマン部５及びバック部６を動作させ、反転用のペダルを露出した状態にする。そして、この動作が完了した場合（Ｓ２２０：ＹＥＳ）には、ステップＳ２３０において、第２列目の単独シートＳ１２から、その後列である第３列目の単独シートＳ１３へ電線１７を介して動作開始信号が送信される。
このように、本実施例１のシートシステム１では、各シート列が、上述の動作開始信号の受信、可動部が所定の状態になるような動作、上述の動作開始信号の発信を、最終列（第Ｎ列）の単独シートＳ１の可動部が所定の状態になるような動作が完了するまで繰り返す。
【００２６】
（３）実施例の効果
以上より、このシートシステム１では、一度、動作開始スイッチを入れれば、シートシステム１の全シート列を、所定状態に簡便に移行できる。よって、清掃担当者の作業が省力化される。
また、本実施例のシートシステムでは、一度に全シート列を動作させるのではなく、順次動作させている。そのため、一度に全シート列を動作させる場合と比べて、小さな電力でも作動する。
【００２７】
＜実施例２＞
（１）シートシステムの構成
本実施例に係るシートシステム１は、図１及び図７に示すように、単一のシート２からなる単独シートＳ１と、複数（図中２つ）のシート２を連結した連結シートＳ２と、を横方向Ｄ１に並べてなるシート列を備えている。これらシート２及びシート列は、上記実施例１のシート２及びシート列と略同様の構成である。
【００２８】
また、本実施例２のシートシステム１は、上記実施例１と同様の一括操作スイッチ１５を備えている。一括操作スイッチ１５は、上記実施例１と同様に、第１列目の連結シートＳ２１に電線１７を介して接続されているとともに、第Ｎ列目（最終列）の連結シートＳ２Ｎにも、電線１７を介して接続されている。
【００２９】
そして、この一括操作スイッチ１５がオンされると、上記実施例１と同様に、第１列目の各シート２の制御装置１２により各モータＭ１〜Ｍ３が作動して、オットマン部５及びバック部６がそれぞれ初期位置に戻るとともにクッション部４の前部が上方に持ち上がる。これにより、クッション部４下方のオットマン部５の裏側に通常隠されている反転用のペダルを露出した状態にするようにされている。
【００３０】
また、本実施例２のシートシステムでは、この一括操作スイッチ１５がオンされると、第Ｎ列目の各シート２の動作も開始される。すなわち、第Ｎ列目の各シート２の制御装置１２により各モータＭ１〜Ｍ３が作動して、オットマン部５及びバック部６がそれぞれ初期位置に戻るとともにクッション部４の前部が上方に持ち上がる。このように、一括操作スイッチ１５の操作により、第１列目とともに、最終列である第Ｎ列目の各シート２の反転用のペダルも露出した状態となるようにされている。
【００３１】
そして、上記実施例１と同様に、第１列目の連結シートＳ２１の動作が完了すると、電線１７を介して第２列目の連結シートＳ２２に動作開始信号が伝達され、第２列目の連結シートＳ２２が同様の動作を開始する。また、第２列目以降も同様にして動作を行ってゆく。すなわち、連結シートＳ２の動作が完了すると、電線１７を介してその後列（一つ後の列）の連結シートＳ２に動作開始信号が伝達され、後列（一つ後の列）の連結シートＳ２が同様の動作を開始する。
【００３２】
一方、第Ｎ列目の連結シートＳ２Ｎの動作が完了すると、電線１７を介して、その前の列である第（Ｎ−１）列目の連結シートＳ２（Ｎ−１）に動作開始信号が伝達され、第（Ｎ−１）列目の連結シートＳ２（Ｎ−１）が同様の動作を開始する。また、第（Ｎ−１）列目の連結シートＳ２（Ｎ−１）の動作が完了すると、電線１７を介して第（Ｎ−２）列目の連結シートＳ２（Ｎ−２）に動作開始信号が伝達され、第（Ｎ−２）列目の連結シートＳ２（Ｎ−２）が同様の動作を開始する。このように、連結シートＳ２の動作が完了すると、電線１７を介して前列（一つ前の列）の連結シートＳ２に動作開始信号が伝達され、前列（一つ前の列）の連結シートＳ２が同様の動作を開始する。
【００３３】
また、各連結シートＳ２は、前列又は後列の一方から動作開始信号を受信した場合には、信号を受信していない側へ動作開始信号を送信するようになっている。すなわち、各連結シートＳ２は、前列から動作開始信号を受信した場合には、後列へ動作開始信号を送信するようになっており、後列から動作開始信号を受信した場合には、前列へ動作開始信号を送信するようになっている。そして、各連結シートＳ２は、前列及び後列から動作開始信号を両方とも受信した場合には一連の動作が完了したと判断するようになっている。
【００３４】
また、一括操作スイッチ１５は、第１列目の単独シートＳ１１に電線１７を介して接続されている。また、一括操作スイッチ１５は、最終列である第Ｎ列目の単独シートＳ１Ｎに電線１７を介して接続されている。
そして、連結シートの列と同様に、第１列目及び第Ｎ列目の単独シートＳ１から反転用ペダルを露出させる動作を順次実行するようになっている。
【００３５】
（２）シートシステムの作用
次に、上記構成のシートシステム１の作用について説明する。このシートシステム１では、図８に示すように、第１列目の連結シートＳ２１では、まず、ステップＳ４００において、動作開始スイッチ（一括操作スイッチ１５）がオンされたか否かを判定する。この判定条件が満たされると、ステップＳ４１０において、各可動部を所定位置まで動作させる。本実施例の場合には、第１列目の連結シートＳ２１の各シート２のオットマン部５が駆動し、オットマン部５の裏に通常隠されている反転用のペダルを露出した状態にする。そして、この動作が完了した場合（Ｓ４２０：ＹＥＳ）には、ステップＳ４３０において、第１列目の連結シートＳ２１から、第２列目の連結シートＳ２２へは電線１７を介して動作開始信号が送信される。
【００３６】
また、図９に示すように、第Ｎ列目の連結シートＳ２Ｎ（最終列の連結シート、本実施例２では第６列目の連結シートＳ２６）では、まず、ステップＳ５００において、動作開始スイッチ（一括操作スイッチ１５）がオンされたか否かを判定する。この判定条件が満たされると、ステップＳ５１０において、各可動部を所定位置まで動作させる。本実施例の場合には、第６列目の連結シートＳ２６の各シート２の各可動部を動作させて反転用のペダルが露出した状態にする。そして、この動作が完了した場合（Ｓ５２０：ＹＥＳ）には、ステップＳ５３０において、第Ｎ列目の連結シートＳ２Ｎから、第（Ｎ−１）列目の連結シートＳ２（Ｎ−１）へ電線１７を介して動作開始信号が送信される。
【００３７】
第ｎ列目の連結シートＳ２ｎ（中間の連結シート、本実施例２では、第２〜（Ｎ−１）列目の連結シートＳ２２〜Ｓ２（Ｎ−１））では、図１０に示すように、ステップＳ６００において、前列又は後列の連結シートＳ２（ｎ−１）又はＳ２（ｎ＋１）から動作開始信号を受信したか否かを判定する。この判定条件が満たされると、ステップＳ６１０において、各可動部を所定位置まで動作させるそして、この動作が完了した場合（Ｓ６２０：ＹＥＳ）には、ステップＳ６３０において、前列及び後列の両方から動作開始信号を受信したか否かを判定する。この判定条件が満たされない場合には、信号を受信していない側の列へ電線１７を介して動作開始信号が送信される。
【００３８】
このように、本実施例１のシートシステム１では、各シート列が、上述の動作開始信号の受信、可動部が所定の状態になるような動作、上述の動作開始信号の発信を、すべての連結シートＳ２の可動部が所定の状態になるような動作が完了するまで繰り返す。すなわち、いずれかのシート列の連結シートＳ２において、前列及び後列の両方から動作開始信号を受信するまでは、各動作が繰り返される。一方、いずれかのシート列の連結シートＳ２において、前列及び後列の両方から動作開始信号を受信されると、一連の動作が終了する。
単独シートＳ１におけるシートシステム１の作用についても、基本的には、連結シートＳ２の場合と同様である。
【００３９】
（３）実施例の効果
以上より、このシートシステム１では、一度、動作開始スイッチを入れれば、シートシステム１の全シート列を、所定状態に簡便に移行できる。よって、清掃担当者の作業が省力化される。
また、本実施例のシートシステムでは、一度に全シート列を動作させるのではなく、順次動作させている。そのため、一度に全シート列を動作させる場合と比べて、小さな電力でも作動する。
また、第１列側からの連係動作と、最終列側からの連係動作とが共に行われるから、シートシステム１の全シート列を、所定状態により迅速に移行できる。
【００４０】
尚、本発明においては、上記実施例に限られず、目的、用途に応じて本発明の範囲内で種々変更した実施例とすることができる。すなわち、上記実施例１及び２では、シート列が縦方向Ｄ２に複数設けられている場合をそれぞれ例示したが、これに限定されず、例えば、シート列が横方向に複数並んで設けられていてもよい。
【００４１】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４２】
本発明は上記で詳述した実施形態に限定されず、本発明の請求項に示した範囲で様々な変形または変更が可能である。
【産業上の利用可能性】
【００４３】
連結シート及び／又は単独シートを備えるシート装置に関する技術として広く利用される。特に、乗用車、バス、トラック等の他、汽車、電車等の鉄道車両、建設車両、農業車両、産業車両や航空機などの乗り物のシート装置に関する技術として好適に利用される。
【符号の説明】
【００４４】
１；シートシステム、１１；シート装置、１２；制御装置、Ｄ１；横方向、Ｄ２；縦方向、Ｓ１；単独シート、Ｓ２；連結シート。
【図１】
2015020556.tif 000003
【図２】
2015020556.tif 000004
【図３】
2015020556.tif 000005
【図４】
2015020556.tif 000006
【図５】
2015020556.tif 000007
【図６】
2015020556.tif 000008
【図７】
2015020556.tif 000009
【図８】
2015020556.tif 000010
【図９】
2015020556.tif 000011
【図１０】
2015020556.tif 000012